(57)【要約】【課題】  簡単な構成でもってカッター刃の操作を行うことができるカッターナイフ用ホルダーを提供する。【解決手段】  カッター刃４を出し入れ自在に保持するためのカッターナイフ用ホルダー６である。このカッターナイフ用ホルダー６は、ホルダー本体部８と、ホルダー本体部８に回転自在に支持されたローラー部１０と、を備えている。ホルダー本体部８の内部には、カッター刃４をスライド移動自在に支持するための移動経路２０が設けられ、ローラー部１０の外周面はカッター刃４の片面に押圧接触されている。ローラー部１０を回転させると、ローラー部１０とカッター刃４との摩擦により、カッター刃４は、その大部分が移動経路２０に収納される収納位置と、その先端部がホルダー本体部８の一端部より突出される突出位置との間を自在に移動される。【選択図】  図３
2010022681.tif 000002
【特許請求の範囲】
【請求項１】
カッター刃を出し入れ自在に保持するためのカッターナイフ用ホルダーであって、
ホルダー本体部と、前記ホルダー本体部に回転自在に支持されたローラー部と、を備え、前記ホルダー本体部の内部には、前記カッター刃をスライド移動自在に支持するための移動経路が設けられ、前記ローラー部の外周面は前記カッター刃の片面に押圧接触されており、
前記ローラー部を回転させると、前記ローラー部と前記カッター刃との摩擦により、前記カッター刃は、その大部分が前記移動経路に収納される収納位置と、その先端部が前記ホルダー本体部の一端部より突出される突出位置との間を自在に移動されることを特徴とするカッターナイフ用ホルダー。
【請求項２】
前記ローラー部の一端部は前記カッター刃の刃部側に配設され、その他端部は前記カッター刃の刃部側と反対側に配設され、また前記ローラー部に関連して、前記ローラー部をその一端部を支点として振り子状に傾動させるための傾動機構が設けられ、
前記ローラー部を所定方向に回転させると、前記ローラー部が前記傾動機構によって前記カッター刃の基端部側に向けて傾動され、これにより前記カッター刃は、その刃部が前記移動経路の一側部から離隔する方向に変位されながら前記収納位置から前記突出位置に移動され、また、前記ローラー部を前記所定方向とは反対方向に回転させると、前記ローラー部が前記傾動機構によって前記カッター刃の先端部側に向けて傾動され、これにより前記カッター刃は、その刃部が前記移動経路の一側部から離隔する方向に変位されながら前記突出位置から前記収納位置に移動されることを特徴とする請求項１に記載のカッターナイフ用ホルダー。
【請求項３】
前記傾動機構は、前記ホルダー本体部に支持された支持軸部と、前記ローラー部に設けられた貫通孔とから構成され、前記支持軸部は前記ローラー部の前記貫通孔に挿通され、前記貫通孔は、その一端の外径が他端の外径よりも幾分小さいテーパ状に構成されていることを特徴とする請求項２に記載のカッターナイフ用ホルダー。
【請求項４】
前記傾動機構は、前記ローラー部に設けられた支持軸部と、前記ホルダー本体部に設けられ、前記支持軸部の両端部がそれぞれ挿通支持される一対の支持孔とから構成され、前記一対の支持孔の一方の外径はそれらの他方の外径よりも小さく構成されていることを特徴とする請求項２に記載のカッターナイフ用ホルダー。
【請求項５】
前記ホルダー本体部の内部には板バネ部材が設けられ、前記カッター刃は、前記板バネ部材の弾性偏倚力によって前記ローラー部の外周面に押圧されることを特徴とする請求項１〜４のいずれかに記載のカッターナイフ用ホルダー。
【請求項６】
前記ホルダー本体部には固定用ネジが回転自在に設けられ、前記固定用ネジを締付方向に回転させると、前記固定用ネジの先端部が前記収納位置に位置付けられた前記カッター刃の先端部の前方に突出され、また前記固定用ネジを弛緩方向に回転させると、前記固定用ネジの先端部が前記移動経路から後退されることを特徴とする請求項１〜５のいずれかに記載のカッターナイフ用ホルダー。
【発明の詳細な説明】
【技術分野】
【０００１】
本発明は、カッター刃を出し入れ自在に保持するためのカッターナイフ用ホルダーに関する。
【背景技術】
【０００２】
従来より、例えば紙やベニヤ板などの被切断物を切断するためのカッターナイフが広く利用されている（例えば、特許文献１参照）。カッターナイフは、カッター刃と、カッター刃を出し入れ自在に保持するためのカッターナイフ用ホルダーと、を備えている。カッターナイフ用ホルダーにはアタッチメントが設けられ、このアタッチメントは、カッター刃がスライド移動自在に収納されるスライド溝と、カッター刃に取り付けられたスライダと、刃部がスライド溝の一側部から離隔された状態でカッター刃をスライド移動させるためのスライド機構とから構成されている。スライド機構によりカッター刃がスライド移動されることによって、刃部がスライド溝の一側部との摩擦により劣化するのが防止される。
【０００３】
【特許文献１】特開平８−３３２２８６号公報
【発明の開示】
【発明が解決しようとする課題】
【０００４】
しかしながら、従来のカッターナイフ用ホルダーでは上述のようなアタッチメントが設けられているので、カッターナイフ用ホルダーの構造が複雑になるという問題がある。
【０００５】
本発明の目的は、簡単な構成でもってカッター刃の操作を行うことができるカッターナイフ用ホルダーを提供することである。
【課題を解決するための手段】
【０００６】
本発明の請求項１に記載のカッターナイフ用ホルダーでは、カッター刃を出し入れ自在に保持するためのカッターナイフ用ホルダーであって、
ホルダー本体部と、前記ホルダー本体部に回転自在に支持されたローラー部と、を備え、前記ホルダー本体部の内部には、前記カッター刃をスライド移動自在に支持するための移動経路が設けられ、前記ローラー部の外周面は前記カッター刃の片面に押圧接触されており、
前記ローラー部を回転させると、前記ローラー部と前記カッター刃との摩擦により、前記カッター刃は、その大部分が前記移動経路に収納される収納位置と、その先端部が前記ホルダー本体部の一端部より突出される突出位置との間を自在に移動されることを特徴とする。
【０００７】
また、本発明の請求項２に記載のカッターナイフ用ホルダーでは、前記ローラー部の一端部は前記カッター刃の刃部側に配設され、その他端部は前記カッター刃の刃部側と反対側に配設され、また前記ローラー部に関連して、前記ローラー部をその一端部を支点として振り子状に傾動させるための傾動機構が設けられ、
前記ローラー部を所定方向に回転させると、前記ローラー部が前記傾動機構によって前記カッター刃の基端部側に向けて傾動され、これにより前記カッター刃は、その刃部が前記移動経路の一側部から離隔する方向に変位されながら前記収納位置から前記突出位置に移動され、また、前記ローラー部を前記所定方向とは反対方向に回転させると、前記ローラー部が前記傾動機構によって前記カッター刃の先端部側に向けて傾動され、これにより前記カッター刃は、その刃部が前記移動経路の一側部から離隔する方向に変位されながら前記突出位置から前記収納位置に移動されることを特徴とする。
【０００８】
また、本発明の請求項３に記載のカッターナイフ用ホルダーでは、前記傾動機構は、前記ホルダー本体部に支持された支持軸部と、前記ローラー部に設けられた貫通孔とから構成され、前記支持軸部は前記ローラー部の前記貫通孔に挿通され、前記貫通孔は、その一端の外径が他端の外径よりも幾分小さいテーパ状に構成されていることを特徴とする。
【０００９】
また、本発明の請求項４に記載のカッターナイフ用ホルダーでは、前記傾動機構は、前記ローラー部に設けられた支持軸部と、前記ホルダー本体部に設けられ、前記支持軸部の両端部がそれぞれ挿通支持される一対の支持孔とから構成され、前記一対の支持孔の一方の外径はそれらの他方の外径よりも小さく構成されていることを特徴とする。
【００１０】
また、本発明の請求項５に記載のカッターナイフ用ホルダーでは、前記ホルダー本体部の内部には板バネ部材が設けられ、前記カッター刃は、前記板バネ部材の弾性偏倚力によって前記ローラー部の外周面に押圧されることを特徴とする。
【００１１】
また、本発明の請求項６に記載のカッターナイフ用ホルダーでは、前記ホルダー本体部には固定用ネジが回転自在に設けられ、前記固定用ネジを締付方向に回転させると、前記固定用ネジの先端部が前記収納位置に位置付けられた前記カッター刃の先端部の前方に突出され、また前記固定用ネジを弛緩方向に回転させると、前記固定用ネジの先端部が前記移動経路から後退されることを特徴とする。
【発明の効果】
【００１２】
本発明の請求項１に記載のカッターナイフ用ホルダーによれば、ローラー部を回転させると、ローラー部とカッター刃との摩擦により、カッター刃は収納位置と突出位置との間を自在にスライド移動されるので、従来のようなアタッチメントを用いることなく、簡単な構成でもってカッター刃の出し入れを行うことができる。
【００１３】
また、本発明の請求項２に記載のカッターナイフ用ホルダーによれば、ローラー部を回転させると、傾動機構によってローラー部がその一端部を支点として振り子状に傾動される。これにより、カッター刃は、その刃部が移動経路の一側部から離隔する方向に変位されながら移動経路に沿ってスライド移動され、それ故に、スライド移動時にカッター刃の刃部が移動経路の一側部に接触することがなく、この刃部が摩擦により摩耗して劣化するのを防止することができる。従って、従来のようなアタッチメントを用いることなく、簡単な構成でもって上述のようなカッター刃のスライド移動を行うことができる。
【００１４】
また、本発明の請求項３に記載のカッターナイフ用ホルダーによれば、傾動機構は、ホルダー本体部に支持された支持軸部と、ローラー部に設けられたテーパ状の貫通孔とから構成されているので、傾動機構の構成を簡単なものとすることができる。
【００１５】
また、本発明の請求項４に記載のカッターナイフ用ホルダーによれば、傾動機構は、ローラー部に設けられた支持軸部と、ホルダー本体部に設けられた大きさの異なる一対の支持孔とから構成されているので、傾動機構の構成を簡単なものとすることができる。
【００１６】
また、本発明の請求項５に記載のカッターナイフ用ホルダーによれば、カッター刃は、板バネ部材の弾性偏倚力によってローラー部の外周面に押圧されるので、ローラー部がカッター刃の片面上を滑って空転するのを防止することができ、カッター刃の出し入れをスムーズに行うことができる。
【００１７】
また、本発明の請求項６に記載のカッターナイフ用ホルダーによれば、固定用ネジを締付方向に回転させると、固定用ネジの先端部が収納位置に位置付けられたカッター刃の先端部の前方に突出されるので、カッター刃がホルダー本体部の一端部から脱着されるのを確実に防止することができる。
【発明を実施するための最良の形態】
【００１８】
以下、添付図面を参照して、本発明に従うカッターナイフ用ホルダーの一実施形態について説明する。図１は、本発明の一実施形態によるカッターナイフ用ホルダーを備えたカッターナイフを示す正面図であり、図２は、図１のカッターナイフ用ホルダーを示す底面図であり、図３は、図１中のＡ−Ａ線によるカッターナイフ用ホルダーの断面図であり、図４は、図１中のＢ−Ｂ線によるカッターナイフ用ホルダーの断面図であり、図５は、図１中のＣ−Ｃ線によるカッターナイフ用ホルダーの断面図であり、図６は、図１のカッターナイフ用ホルダーの分解斜視図であり、図７は、図１のカッターナイフ用ホルダーにおいて、カッター刃を突出させる状態を示す説明図であり、図８は、図１のカッターナイフ用ホルダーにおいて、カッター刃を収納させる状態を示す説明図であり、図９は、図１のカッターナイフを用いて被切断物を切断する状態を示す図であり、図１０は、図１のカッターナイフを用いて封筒を開封する状態を示す図である。
【００１９】
図１〜図１０を参照して、図示のカッターナイフ２は、カッター刃４と、カッター刃４を出し入れ自在に保持するためのカッターナイフ用ホルダー６と、を備えている。カッターナイフ用ホルダー６は、ホルダー本体部８と、ホルダー本体部８に回転自在に支持されたローラー部１０と、を備えている。以下、カッターナイフ用ホルダー６の構成について詳細に説明する。
【００２０】
ホルダー本体部８は、横長且つ略台形状の第１及び第２プレート部材１２，１４から構成され、これら第１及び第２プレート部材１２，１４は、横長且つ薄板状の一対のスペーサ１６ａ，１６ｂを介して例えば接着剤や固定用ネジなど（図示せず）により相互に連結されている。ホルダー本体部８の一側部の長さは、その他側部の長さよりも長く構成され、これによりホルダー本体部８の一端部（即ち、カッター刃４が出し入れされる側の端部）は、ホルダー本体部８の長手方向に対して斜め方向に（例えば約３０度の角度でもって）傾斜されている。ホルダー本体部８の一端部は断面略Ｖ字状に形成され、その厚さ方向両端部から中央部にかけて凹状に傾斜している（図２及び図５参照）。また、ホルダー本体部８の一端部には、ホルダー本体部８の長手方向に対して斜め方向にカットされたガイド部１８が設けられている。
【００２１】
ホルダー本体部８の内部、即ち、一対のスペーサ１６ａ，１６ｂの間の空間には、カッター刃４をスライド移動自在に支持するための移動経路２０が形成されている。この移動経路２０は、ホルダー本体部８の一端部に対して斜め方向に、ホルダー本体部８の一端部から他端部まで延びている。移動経路２０の一端部は、ホルダー本体部８の一端部の谷部２２（即ち、第１プレート部材１２と第２プレート部材１４との間）において開口されている（図２参照）。移動経路２０にはカッター刃４がスライド移動自在に支持され、これによりカッター刃４は、その大部分が移動経路２０に収納される収納位置（図８参照）と、その先端部がホルダー本体部８の一端部より突出される突出位置（図７参照）との間を移動経路２０に沿って自在にスライド移動される。
【００２２】
カッター刃４は、例えば市販されている折る刃タイプのものから構成されている。カッター刃４の一側部には、刃部２４がその長手方向に延びて設けられている。また、カッター刃４には、複数の切断用凹部（図示せず）がその長手方向に間隔を置いて設けられており、この切断用凹部に沿ってカッター刃４を自在に折ることができる。
【００２３】
ホルダー本体部８の一端部近傍において、第１プレート部材１２にはネジ孔２６が設けられ、このネジ孔２６には固定用ネジ２８が螺着されている。固定用ネジ２８を締付方向に回転させると、固定用ネジ２８の先端部がカッター刃４の片面に押し当てられ、これによりカッター刃４がホルダー本体部８に対して固定される。特に、カッター刃４が収納位置に位置付けられているときには、固定用ネジ２８の先端部がカッター刃４の先端部の前方に突出され、これによりカッター刃４がホルダー本体部８の一端部から脱着されるのが確実に防止される。また、固定用ネジ２８を弛緩方向（上記締付方向とは反対方向）に回転させると、固定用ネジ２８の先端部が移動経路２０から後退され、カッター刃４のホルダー本体部８に対する固定が解除される。
【００２４】
また、ホルダー本体部８の一端部近傍において、第１プレート部材１２の両側部にはそれぞれブラケット３０ａ，３０ｂが設けられ、これらブラケット３０ａ，３０ｂにはそれぞれ支持孔３２ａ，３２ｂが設けられている。ブラケット３０ａ，３０ｂの各支持孔３２ａ，３２ｂにはそれぞれ支持軸部３４の両端部が固定的に挿通支持されている。
【００２５】
ローラー部１０は、例えばゴムなどの摩擦係数の高い材質から形成されている。ローラー部１０にはその軸方向に延びる貫通孔３６が設けられ、この貫通孔３６は、一端の外径が他端の外径よりも幾分小さいテーパ状に構成されている（図４参照）。ローラー部１０の貫通孔３６には支持軸部３４が挿通され、これによりローラー部１０は支持軸部３４を介してホルダー本体部８に回転自在に支持される。ローラー部１０の配設部位に対応する第１プレート部材１２には略台形状の開口部３８が設けられ、この開口部３８にはローラー部１０の一部が傾動自在且つ回転自在に収容されている（図３参照）。
【００２６】
ローラー部１０の配設部位に対応する第２プレート部材１４の内面には収容凹部４０が設けられ、この収容凹部４０には板バネ部材４２が収容されている。板バネ部材４２の長手方向中央部はローラー部１０に向けて凸状に湾曲されており、この板バネ部材４２の弾性偏倚力によってカッター刃４の片面がローラー部１０の外周面に押圧接触される。従って、ローラー部１０を回転させると、ローラー部１０とカッター刃４との摩擦によって、カッター刃４が収納位置と突出位置との間を移動経路２０に沿ってスライド移動される。
【００２７】
本実施形態のカッターナイフ用ホルダー６では、ローラー部１０をその一端部を支点として振り子状に傾動させるための傾動機構が設けられており、この傾動機構は、上述した支持軸部３４及び貫通孔３６によって構成されている。即ち、ローラー部１０を所定方向（図７中の矢印Ｘで示す方向）に回転させると、ローラー部１０が傾動機構によってカッター刃４の基端部側に向けて傾動され（図７参照）、またローラー部１０を上記所定方向とは反対方向（図８中の矢印Ｙで示す方向）に回転させると、ローラー部１０が傾動機構によってカッター刃４の先端部側に向けて傾動される（図８参照）。
【００２８】
また、ホルダー本体部８の他端部近傍において、第１及び第２プレート部材１２，１４にはそれぞれネジ孔４４，４６が対応して設けられ、これらネジ孔４４，４６には係止用ネジ４８が螺着されている。カッター刃４が収納位置に位置付けられると、カッター刃４の基端部がこの係止用ネジ４８に係止され、これによりカッター刃４がホルダー本体部８の他端部から脱着されるのが防止される。
【００２９】
本実施形態のカッターナイフ用ホルダー６を備えたカッターナイフ２の使用方法について説明すると、次の通りである。まず、カッター刃４をホルダー本体部８の一端部より突出させる方法について説明する。カッター刃４が収納位置に位置付けられた状態より、固定用ネジ２８を弛緩方向に回転させた後にローラー部１０を上記所定方向に回転させると、ローラー部１０が傾動機構によってカッター刃４の基端部側に向けて傾動される（図７参照）。これによりカッター刃４は、その刃部２４が移動経路２０の一側部５０から離隔する方向に変位されながら、収納位置から突出位置に向けて移動経路２０に沿ってスライド移動される。カッター刃４が突出位置に位置付けられた後に、固定用ネジ２８を締付方向に回転させることによって、カッター刃４がホルダー本体部８に対して固定され、これによりカッター刃４により被切断物５２を切断することができる。
【００３０】
なお、図９に示すように、カッター刃４により被切断物５２を切断する際には、ガイド部１８を被切断物５２の表面に沿ってスライドさせながら切断することによって、ホルダー本体部８の一端部からのカッター刃４の突出量を小さく抑えることができる。
【００３１】
次に、カッター刃４をホルダー本体部８の内部に収納させる方法について説明する。カッター刃４が突出位置に位置付けられた状態より、固定用ネジ２８を弛緩方向に回転させた後にローラー部１０を上記所定方向とは反対方向に回転させると、ローラー部１０が傾動機構によってカッター刃４の先端部側に向けて傾動される（図８参照）。これによりカッター刃４は、その刃部２４が移動経路２０の一側部５０から離隔する方向に変位されながら、収納位置から突出位置に向けて移動経路に沿ってスライド移動される。カッター刃４が収納位置に位置付けられた後に、固定用ネジ２８を締付方向に回転させることによって、固定用ネジ２８の先端部がカッター刃４の先端部の前方に突出され、これによりカッター刃４がホルダー本体部８の一端部から脱着されるのを確実に防止することができる。
【００３２】
カッター刃４の交換は、例えば次のようにして行えばよい。まず、固定用ネジ２８を弛緩方向に回転させた後に、ローラー部１０を上記所定方向に回転させてカッター刃４を突出位置に位置付け、カッター刃４の先端部を指で摘んで外部に引き出す。その後に、新しいカッター刃４をホルダー本体部８の一端部より移動経路２０に挿入し、ローラー部１０を上記所定方向とは反対方向に回転させてカッター刃４を収納位置に位置付け、固定用ネジ２８を締付方向に回転させる。
【００３３】
また、図１０を参照して、本実施形態のカッターナイフ用ホルダー６を用いて、例えば次のようにして被切断物としての封筒５４を開封することができる。封筒５４は、例えば手紙や書類、雑誌などが収納される袋部５６と、この袋部５６の開口部を封するための折曲封部５８と、を有しており、折曲封部５８を袋部５６側に折曲して糊や粘着テープなどで貼り付けることにより封をするようになる。このように封をした封筒５４を開封する際には、上述のようにしてカッター刃４を突出位置に位置付け、封筒５４の開封部６０（即ち、封した際に生じる袋部５６と折曲封部５８との間の隙間）にカッター刃４の先端部を挿入し、封筒５４に対してカッターナイフ用ホルダー６を相対的に図１０中の矢印Ｐで示す方向に移動させる。かく移動させると、カッター刃４はホルダー本体部８の一端部に対して斜め方向に突出されるので、カッター刃４の先端部における刃部２４が封筒５４の開封部６０に食い込むように作用するようになり、刃部２４の切断作用により封筒５４の開封部６０を切断開封することができる。このとき、封筒５４の開封部６０は、ホルダー本体部８の一端部の谷部２２に沿って蛇行することなく直線的に移動されるので、カッター刃４の刃部２４を開封部６０に安定して作用させることができる。
【００３４】
上述したように、本実施形態のカッターナイフ用ホルダー６では、ローラー部１０を回転させると、傾動機構によってローラー部１０がその一端部を支点として振り子状に傾動される。これにより、カッター刃４は、その刃部２４が移動経路２０の一側部５０から離隔する方向に変位されながら移動経路２０に沿ってスライド移動される。従って、スライド移動時にカッター刃４の刃部２４が移動経路２０の一側部５０に接触することがなく、この刃部２４が摩擦により摩耗して劣化するのを防止することができる。
【００３５】
なお、本実施形態では、傾動機構を直線状の支持軸部３４及びテーパ状の貫通孔３６から構成したが、例えば次のように構成してもよい。即ち、ローラー部１０の貫通孔３６を直線状に構成するとともに、支持軸部３４を一端部の外径が他端部の外径よりも小さいテーパ状に構成することにより、ローラー部１０の回転時にローラー部１０がその一端部を支点として振り子状に傾動されるようになり、上述したのと同様の作用効果が達成される。
【００３６】
次に、図１１及び図１２を参照して、他の実施形態のカッターナイフ用ホルダーについて説明する。図１１は、本発明の他の実施形態によるカッターナイフ用ホルダーにおいて、カッター刃を突出させる状態を示す説明図であり、図１２は、図１１のカッターナイフ用ホルダーにおいて、カッター刃を収納させる状態を示す説明図である。なお、本実施形態において、上記実施形態と実質上同一の構成要素には同一の符号を付し、その説明を省略する。
【００３７】
本実施形態のカッターナイフ用ホルダー６Ａでは、ローラー部１０Ａ及び支持軸部３４Ａは一体に構成されている。また、ブラケット３０Ａａの支持孔３２Ａａの外径は、ブラケット３０Ａｂの支持孔３２Ａｂの外径よりも小さく構成されている。支持孔３２Ａａには支持軸部３４Ａの一端部が固定的に挿通支持され、また支持孔３２Ａｂには、支持軸部３４Ａの他端部が移動自在に挿通支持されている。
【００３８】
上述した支持軸部３４Ａ及び支持孔３２Ａａ，３２Ａｂにより傾動機構が構成され、この傾動機構によって、ローラー部１０Ａの回転時にローラー部１０Ａがその一端部を支点として振り子状に傾動される。即ち、ローラー部１０Ａを所定方向（図１１中の矢印Ｘで示す方向）に回転させると、ローラー部１０Ａが傾動機構によってカッター刃４の基端部側に向けて傾動され（図１１参照）、またローラー部１０Ａを上記所定方向とは反対方向（図１２中の矢印Ｙで示す方向）に回転させると、ローラー部１０Ａが傾動機構によってカッター刃４の先端部側に向けて傾動される（図１２参照）。従って、本実施形態においても、上述したのと同様の作用効果が達成される。
【００３９】
以上、本発明に従うカッターナイフ用ホルダーの種々の実施形態について説明したが、本発明はかかる実施形態に限定されるものではなく、本発明の範囲を逸脱することなく種々の変形乃至修正が可能である。
【００４０】
例えば、ローラー部１０（１０Ａ）の外周面に例えば網目状の凹凸を設けるように構成してもよく、かく構成することにより、ローラー部１０（１０Ａ）の回転時にローラー部１０（１０Ａ）がカッター刃４の片面上を滑って空転するのを防止することができる。
【図面の簡単な説明】
【００４１】
【図１】本発明の一実施形態によるカッターナイフ用ホルダーを備えたカッターナイフを示す正面図である。
【図２】図１のカッターナイフ用ホルダーを示す底面図である。
【図３】図１中のＡ−Ａ線によるカッターナイフ用ホルダーの断面図である。
【図４】図１中のＢ−Ｂ線によるカッターナイフ用ホルダーの断面図である。
【図５】図１中のＣ−Ｃ線によるカッターナイフ用ホルダーの断面図である。
【図６】図１のカッターナイフ用ホルダーの分解斜視図である。
【図７】図１のカッターナイフ用ホルダーにおいて、カッター刃を突出させる状態を示す説明図である。
【図８】図１のカッターナイフ用ホルダーにおいて、カッター刃を収納させる状態を示す説明図である。
【図９】図１のカッターナイフを用いて被切断物を切断する状態を示す図である。
【図１０】図１のカッターナイフを用いて封筒を開封する状態を示す図である。
【図１１】本発明の他の実施形態によるカッターナイフ用ホルダーにおいて、カッター刃を突出させる状態を示す説明図である。
【図１２】図１１のカッターナイフ用ホルダーにおいて、カッター刃を収納させる状態を示す説明図である。
【符号の説明】
【００４２】
４  カッター刃
６，６Ａ  カッターナイフ用ホルダー
８，８Ａ  ホルダー本体部
１０，１０Ａ  ローラー部
２０  移動経路
２４  刃部
２８  固定用ネジ
３２ａ，３２ｂ，３２Ａａ，３２Ａｂ  支持孔
３４，３４Ａ  支持軸部
３６  貫通孔
４２  板バネ部材
５０  一側部
【図１】
2010022681.tif 000003
【図２】
2010022681.tif 000004
【図３】
2010022681.tif 000005
【図４】
2010022681.tif 000006
【図５】
2010022681.tif 000007
【図６】
2010022681.tif 000008
【図７】
2010022681.tif 000009
【図８】
2010022681.tif 000010
【図９】
2010022681.tif 000011
【図１０】
2010022681.tif 000012
【図１１】
2010022681.tif 000013
【図１２】
2010022681.tif 000014